Podtech/llm-jp-corpus-v4-ja_patent huggingface dataset:
【手続補正書】
【提出日】平成23年12月14日(2011.12.14)
【手続補正１】
【補正対象書類名】特許請求の範囲
【補正対象項目名】全文
【補正方法】変更
【補正の内容】
【特許請求の範囲】
【請求項１】
ノズル組立体内に組込まれるためのバルブ要素であって、該バルブ要素は、
円錐形のバルブボディと、
バルブ要素の軸線に沿って前記バルブボディに一体に連結され、かつ前記バルブボディから軸線方向に沿って延びる長尺状のバルブステムとを備え、
前記バルブボディは、
外面および底面を画定するノズルコーンであって、前記底面は周囲の下縁によって包囲され、前記外面は前記バルブステムから前記下縁に向かって延びる楕円状の外形を備える前記ノズルコーンと、
前記ノズルコーンの底面に一体に連結されるハブと、
前記ハブに一体に連結された少なくとも一つのリブと、
前記リブに一体に連結され、かつ前記ノズルコーンに対して離間して配置されるフラクチャ・リングとを備えるバルブ要素。
【請求項２】
前記少なくとも一つのリブは前記ハブに一体に連結された複数のリブを備え、前記フラクチャ・リングは前記リブの各々に一体に連結される請求項１に記載のバルブ要素。
【請求項３】
前記ハブは、四角形の構造を有し、四つのリブが、前記ハブによって画定される四隅の領域の各々に一体に連結され、かつ前記四隅の領域から突出する請求項２に記載のバルブ要素。
【請求項４】
前記ハブは円筒状の構造を有し、四つのリブが前記ハブに一体に連結され、かつ前記ハブから半径方向外向きに延びる請求項２に記載のバルブ要素。
【請求項５】
前記リブは９０度の等間隔で離間して配置される請求項４に記載のバルブ要素。
【請求項６】
前記リブの各々は、さらに前記ノズルコーンの底面に一体に連結される請求項２に記載のバルブ要素。
【請求項７】
前記リブの各々は、くさび状の断面構造を有し、かつ前記ノズルコーンから離間するように配向される下側の頂点を画定する請求項２に記載のバルブ要素。
【請求項８】
前記リブの各々は前記ノズルコーンの外面に対して連続的な外端面を画定する請求項２に記載のバルブ要素。
【請求項９】
前記リブの各々の前記外端面は前記ノズルコーンの底面の周囲部によって画定される段差部によって前記ノズルコーンの下縁から分離される請求項８に記載のバルブ要素。
【請求項１０】
前記フラクチャ・リングは前記リブの各々の前記外端面に対して面一な外面を画定する請求項８に記載のバルブ要素。
【請求項１１】
前記フラクチャ・リングは、くさび状の断面構造を有するとともに、前記ノズルコーンの下縁に対向するように配向され、かつ前記ノズルコーンの下縁に対して離間して配置される上側の頂点を画定する請求項１に記載のバルブ要素。
【請求項１２】
前記ノズルコーンの下縁、前記フラクチャ・リングの上側の頂点、及び前記リブは、協働して前記バルブボディ内に位置する複数の窓を画定する請求項１１に記載のバルブ要素。
【請求項１３】
ノズル組立体内に一体化されるバルブ要素であって、該バルブ要素は、
円錐形のバルブボディと、
バルブ要素の軸線に沿って前記バルブボディに一体に連結され、かつ軸線方向に沿って延びる長尺状のバルブステムとを備え、
前記バルブボディは、
外面および底面を画定するノズルコーンであって、前記底面は周囲の下縁によって包囲される前記ノズルコーンと、
前記ノズルコーンの底面に一体に連結されたハブと、
前記ハブに一体に連結され、かつ前記ノズルコーンの外面に連続する外端面を画定する少なくとも一つのリブと、
前記リブに一体に連結され、かつ前記ノズルコーンに対して離間して配置されるフラクチャ・リングであって、前記リブの外端面に対して連続する外面を有する前記フラクチャ・リングとを備えるバルブ要素。
【請求項１４】
前記ノズルコーンの外面は、前記バルブステムから前記下縁に向かって延びるように、楕円状の外形を有する請求項１３に記載のバルブ要素。
【請求項１５】
前記ハブは四角形の構造を有し、四つのリブが、前記ハブによって画定される四隅の領域の各々に一体に連結され、かつ前記四隅の領域から突出する請求項１３に記載のバルブ要素。
【請求項１６】
前記リブの各々は、さらに前記ノズルコーンの底面に一体に連結される請求項１５に記載のバルブ要素。
【請求項１７】
前記リブの各々はくさび状の断面構造を有し、かつ前記ノズルコーンから離間するように配向される下側の頂点を画定する請求項１５に記載のバルブ要素。
【請求項１８】
前記フラクチャ・リングはくさび状の断面構造を有するとともに、前記ノズルコーンの下縁に対向するように配向され、かつ前記ノズルコーンの下縁に対して離間して配置される上側の頂点を画定する請求項１３に記載のバルブ要素。
【請求項１９】
前記ノズルコーンの下縁、前記フラクチャ・リングの上側の頂点、及び前記リブは、協働して前記バルブボディ内に位置する複数の窓を画定する請求項１８に記載のバルブ要素。
【請求項２０】
ノズル組立体内に一体化されるバルブ要素であって、該バルブ要素は、
円錐形のバルブボディと、
バルブ要素の軸線に沿って前記バルブボディに一体に連結され、かつ軸線方向に沿って延びる長尺状のバルブステムとを備え、
前記バルブボディは、
外面および底面を画定するノズルコーンであって、前記底面は周囲の下縁によって包囲される前記ノズルコーンと、
前記ノズルコーンの底面に一体に連結されたハブと、
前記ハブに一体に連結され、かつ段差部によって前記ノズルコーンの下縁から分離された外端面を画定する少なくとも一つのリブであって、前記段差部は前記ノズルコーンの底面の周囲部によって画定される前記リブと、
前記リブに一体に連結され、かつ前記ノズルコーンに対して離間して配置されるフラクチャ・リングであって、前記リブの外端面に対して連続する外面を有する前記フラクチャ・リングとを備えるバルブ要素。
【手続補正２】
【補正対象書類名】明細書
【補正対象項目名】発明の名称
【補正方法】変更
【補正の内容】
【発明の名称】噴霧ノズル用バルブ要素
【手続補正３】
【補正対象書類名】図面
【補正対象項目名】図７
【補正方法】変更
【補正の内容】
【図７】
2011519726.tif 000001
【手続補正書】
【提出日】平成24年4月11日(2012.4.11)
【手続補正１】
【補正対象書類名】特許請求の範囲
【補正対象項目名】全文
【補正方法】変更
【補正の内容】
【特許請求の範囲】
【請求項１】
自己拡張性ステントを半径方向に圧縮した展開前構成で保持するのに十分な強度をそれ自体有する配給シース内に前記ステントを装填する方法であって、
i）前記ステントを比較的小さな直径に圧縮し、
ii）内径ｄ１の装填シースを用意し、
iii）ｄ２＜ｄ１の関係を有するｄ２を外径として有する前記ステントと共に、前記ステントと前記装填シースとの間の相対的な並進運動をさせ、それにより前記ステントは、前記装填シースの腔に収容され、
iv）前記ステントを含んだ前記装填シースを前記配給シースの腔内に進め、
v）前記ステントが軸方向に動いて前記配給シースの外に出ないようにしつつ、前記装填シースを引き戻すことにより、前記ステントを前記配給シースの腔内で展開することを特徴とする方法。
【請求項２】
前記配給シースの腔内にステントを保ちつつ、前記配給シースに長手方向の応力を与えて引いて、前記配給シースの内径を、ｄ１よりも小さい直径ｄ３に減らすステップを更に備えることを特徴とする請求項１に記載の方法。
【請求項３】
前記配給シースは、前記ステントの全長に渡って軸方向に延びる線に沿って分断され得るものであり、それにより、前記ステントが身体の腔内に展開するときに生じるステントの半径方向の拡張の間、前記ステントは、長手方向に分断した配給シースを押して排除することができることを特徴とする請求項１又は２に記載の方法。
【請求項４】
前記配給シースは、ＰＥＴでできていることを特徴とする請求項１，２又は３に記載の方法。
【請求項５】
前記応力がかかる前の配給シースは、３０μｍオーダーの壁厚を有することを特徴とする先行する請求項のいずれかに記載の方法。
【請求項６】
前記配給シースは、応力初期領域を呈し、その領域から、配給シースの長手方向に徐々に応力が広がっていくことを特徴とする先行する請求項のいずれかに記載の方法。
【請求項７】
前記ステントの対向する端部の間に前記応力初期領域を位置付けするステップを備えることを特徴とする請求項６に記載の方法。
【請求項８】
前記応力初期領域は、前記ステントの端部の間の中央部に位置することを特徴とする請求項７に記載の方法。
【請求項９】
前記応力初期領域は、薄くなった壁厚を呈する、前記配給シースの一部を含むことを特徴とする請求項６，７又は８に記載の方法。
【請求項１０】
前記ステントを前記シース内に進めるのに工具を使用し、その工具は、前記ステントの腔の長手の少なくとも一部に沿って延びる一部分を有していることを特徴とする先行する請求項のいずれかに記載の方法。
【請求項１１】
前記配給シースを引いて狭めるステップが完了する前に、前記工具が、前記ステントから外されることを特徴とする請求項１０に記載の方法。
【請求項１２】
前記配給シースを引いて狭めるステップが完了する前に、前記ステントの腔内に、前記ステントのためのカテーテル配給システムの一構成を導入するステップを備えることを特徴とする先行する請求項のいずれかに記載の方法。
【請求項１３】
前記配給シースを前記ステント上で引いて狭めるステップの前に、前記ステントと狭まった配給シースとの間にあって、駆動されたときに、前記配給シースを分断して前記ステントが展開できるようにする分断部材を、前記配給シースの腔内に供するステップを備えることを特徴とする先行する請求項のいずれかに記載の方法。
【請求項１４】
前記配給シースに応力を課するのに工具が使用され、その工具は、第一及び第二のシースグリッパーを備え、各々は、配給シース内のステントの各々の端部を越えて、前記配給シースの対向する端部をグリップすることを特徴とする先行する請求項のいずれかに記載の方法。
【請求項１５】
前記シースグリッパーの少なくとも１つは、前記配給シースの全周に渡って前記配給シースをグリップすることを特徴とする請求項１４に記載の方法。
【請求項１６】
前記グリッパーの少なくとも１つは、前記配給シースと接触する高摩擦グリップ面を呈し、そのグリップ面は、シリコンラバー材料でできていることを特徴とする請求項１５に記載の方法。
【請求項１７】
前記ステント上で引かれて狭まった配給シースは、６フレンチ（２ｍｍ）を越えない外径を呈することを特徴とする先行する請求項のいずれかに記載の方法。
【手続補正書】
【提出日】平成24年4月27日(2012.4.27)
【手続補正１】
【補正対象書類名】特許請求の範囲
【補正対象項目名】全文
【補正方法】変更
【補正の内容】
【特許請求の範囲】
【請求項１】
カフ電極と、
前記カフ電極から延びており、おおむね蛇行した構成を有している第１のリード部と、
おおむね蛇行した構成を有しており、前記第１のリード部の長さよりも実質的に大きい長さを有している第２のリード部と、
前記第１のリード部と前記第２のリード部との間に介装され、神経以外の身体構造に対して固定されるように構成されている第１のアンカーと、
前記第２のリード部から近位方向に延びており、埋め込み式のパルス発生器へと電気的に接続されるように構成されたコネクターと、
前記第２のリード部へと接続され、前記第２のリード部と前記コネクターとの間に介装された第２のアンカーであって、第２の神経以外の身体構造に対して固定されるように構成されている第２のアンカーと、
を備えており、
前記第１のリード部が、該第１のリード部の少なくとも一部分がおおむね蛇行した構成のままであるように、前記カフ電極が取り付けられる神経と前記第１のアンカーが固定される前記神経以外の身体構造との間の距離よりも、実質的に大きい長さを有しているリードシステム。
【請求項２】
前記第１および第２のリード部のそれぞれの前記おおむね蛇行した構成が、おおむね正弦波のパターンを含んでいる請求項１に記載のリードシステム。
【請求項３】
前記第２のリード部が、前記第１のリード部の長さの約７倍の長さを有している請求項１に記載のリードシステム。
【請求項４】
前記第１のリード部の長さが、おおむね蛇行した構成の湾曲した部分の長さを含むアーチ形の長さに相当する請求項１に記載のリードシステム。
【請求項５】
前記カフ電極が、
細長いカフ本体と、
前記カフ本体に埋め込まれ、前記カフ本体の長さに沿って互いに間隔を空けて位置している３つのおおむね剛な電極部材からなる列と、
を備えており、
前記細長いカフ本体が、
ベースと、
第１の端部及び第２の端部を含む第１のフランジ部材と、
第２のフランジ部材および第３のフランジ部材を含んでいる１対のアーチ形の弾性フランジ部材と、を含んでおり、前記第２及び第３のフランジ部のそれぞれのフランジ部材の各々が、近位部および遠位部を含んでおり、前記近位部が、前記ベースから外方向に、他方のフランジ部材の近位部から離れるように延びるとともに、前記遠位部が、他方のフランジ部材の遠位部に向かって延びており、前記ベースおよび前記第２及び第３のフランジ部材が管腔を定めており、前記遠位部が、実質的に再閉鎖可能な開口を定めており、前記第２及び第３の両方のフランジ部材が、前記カフ本体の長さまで延びていると共に、
前記第１の端部は、前記第３のフランジ部材の外表面へと固定されており、前記第１のフランジ部材は、該固定された前記第１の端部から前記第３のフランジ部材の一部分、前記実質的に再閉鎖可能な開口、および前記第２のフランジ部材に重なりかつ解放可能に接触しつつ延びており、前記第１のフランジ部材の前記第２の端部は、前記第２のフランジ部材を覆う位置に位置すると共に、
該第１のフランジ部材の前記第２の端部が、前記カフ本体の前記実質的に再閉鎖可能な開口のおおむね反対側に位置している、請求項１に記載のリードシステム。
【請求項６】
各々の電極部材が、
前記管腔に露出されるように前記第２及び第３のフランジ部材のそれぞれのフランジ部材の少なくとも一方の内表面に沿って延びているおおむねアーチ形の第１の部位と、
前記ベースの中へと前記第１の部位から離れるように前記第１の部位に対しておおむね鈍角で延びているおおむね真っ直ぐな第２の部位と、
を含んでおり、
前記電極部材の前記露出された第１の部位が、前記カフ本体の前記実質的に再閉鎖可能
な開口のおおむね反対側に位置している請求項５に記載のリードシステム。
【請求項７】
当該電極アセンブリーが完全に係合した状態にあるときに、前記第１のフランジ部材が、該第１のフランジ部材の少なくとも一部分が前記実質的に再閉鎖可能な開口を横切って延びて該開口を覆うよう、前記第２のフランジ部材に対して摺動移動可能であり、かつ前記第２のフランジ部材に解放可能に接している請求項５に記載のリードシステム。
【手続補正書】
【提出日】平成24年5月1日(2012.5.1)
【手続補正１】
【補正対象書類名】特許請求の範囲
【補正対象項目名】全文
【補正方法】変更
【補正の内容】
【特許請求の範囲】
【請求項１】
細長いカフ本体と、
前記カフ本体に埋め込まれ、前記カフ本体の長さに沿って互いに間隔を空けて位置しているおおむね剛な電極部材の列と、
を備えている電極アセンブリーであって、
前記カフ本体が、
ベースと、
第１端と第２端を含む第１のフランジ部材と、
第２のフランジ部材および第３のフランジ部材を含む１対のアーチ形の弾性フランジ部材と、を含んでおり、
前記第２，第３のフランジ部材の各々が、近位部および遠位部を含んでおり、前記近位部が、前記ベースから外方向であって、他方のフランジ部材の近位部から離れるように延びるとともに、前記遠位部が、他方のフランジ部材の遠位部に向かって延びており、前記ベースおよび前記第２，第３のフランジ部材が管腔を定めており、前記遠位部が、管腔にアクセス可能な開口を定めており、前記第２，第３のフランジ部材が、前記カフ本体の長さまで延びており、
前記第１のフランジ部材の第１端は、第３のフランジ部材の外面に固着され、前記第１のフランジ部材は、固着された部分から延在する部分が、第３のフランジ部材の一部と第２のフランジ部材に対し着脱自在に接触し、第３のフランジ部材の一部、開口、第２のフランジ部材を覆うように形成され、付勢されている電極アセンブリー。
【請求項２】
各々の電極部材が、
前記管腔に露出されるように前記それぞれのフランジ部材の少なくとも一方の内表面に沿って延びているおおむねアーチ形の第１の部位と、
前記ベースの中へと前記第１の部位から離れるように前記第１の部位に対しておおむね鈍角で延びているおおむね真っ直ぐな第２の部位と、
を含んでおり、
前記電極部材の前記露出された第１の部位が、前記カフ本体の前記開口のおおむね反対側に位置している請求項１に記載の電極アセンブリー。
【請求項３】
各々の電極部材の前記第１の部位が、前記管腔の４５度の円弧におおむね相当するアーチ形の長さを有しており、前記鈍角が、約１３０度である請求項２に記載の電極アセンブリー。
【請求項４】
前記第１の部位の前記おおむねアーチ形の形状が、第２のフランジ部材の内表面の曲率半径におおむね一致しており、該第１の部位が、前記第２のフランジ部材の内表面からおおむね離れるように延びている遠位フック部を備えており、該遠位フック部が、当該電極部材を前記カフ本体に対して固定すべく前記カフ本体の成型部分を受け入れる凹所を定めている請求項２に記載の電極アセンブリー。
【請求項５】
前記第１のフランジ部材が、前記第２の端部を前記第２のフランジ部材を越えて遠位方向に少なくとも前記ベースの底壁の周囲まで延ばすために充分な長さを有している請求項１に記載の電極アセンブリー。
【請求項６】
前記第１のフランジ部材が、前記第２の端部が該第１のフランジ部材の前記第１の端部に重なる位置で終わるまで、該第１のフランジ部材を前記カフ本体の周囲に少なくとも２回巻き付けるために充分な長さを有している請求項１に記載の電極アセンブリー。
【請求項７】
当該電極アセンブリーが完全に係合した状態にあるときに、前記第１のフランジ部材が、該第１のフランジ部材の少なくとも一部分が前記開口を横切って延びて該開口を覆うよう、前記第２のフランジ部材に対して摺動移動可能であり、かつ前記第２のフランジ部材に解放可能に接しており、
前記電極カフ本体によって定められる前記管腔の直径が、該管腔内の神経の直径の増加に応答して、前記第３のフランジ部材の遠位部から離れようとする前記第２のフランジ部材の遠位部の回転、および前記第１のフランジ部材の前記第２のフランジ部材に対する摺動移動によって、自動的に拡張することができ、前記第１のフランジ部材が、前記自動的な拡張の際に前記開口および前記第２のフランジ部材の長さの大部分との重なり合いを維持するために充分な長さを有している請求項１に記載の電極アセンブリー。
【請求項８】
前記開口が、前記ベースに対して側方にあって直接には対向しない位置に配置され、前記第２のフランジ部材が、前記第３のフランジ部材の長さよりも実質的に大きい長さを有している請求項１に記載の電極アセンブリー。
【請求項９】
前記第２および第３のフランジ部材のそれぞれの近位部が、それぞれの遠位部よりも実質的に大きい厚さを有しており、前記第２および第３のフランジ部材の互いの厚さ変化が非対称であり、前記第２のフランジ部材の近位部の厚さが前記第３のフランジ部材の厚さよりも実質的に大きく、電極部材の各々が、前記第２のフランジ部材の近位部において、おおむね該第２のフランジ部材の最大厚さの領域に配置されている請求項１に記載の電極アセンブリー。
【請求項１０】
前記第２のフランジ部材の内表面が、前記それぞれの電極部材の前記第１の部位の領域において、該第２のフランジ部材の内表面の残りの部分に対して凹まされており、前記おおむね真っ直ぐな第２の部位が、前記カフ本体の前記ベースの断面の長手軸におおむね平行に延びており、各々の電極部材が、前記第２の部位から外方向へと前記第１の部位とはおおむね反対の方向に前記カフ本体の前記ベース内を延びているおおむね真っ直ぐな第３の部位をさらに備えており、該第３の部位が、前記第２の部位におおむね垂直である請求項２に記載の電極アセンブリー。
【請求項１１】
各々の電極部材が、
前記それぞれのフランジ部材の内表面に沿って延び、前記管腔に露出されるように配置されているおおむね半円形の第１の部位と、
おおむね前記第１の中点から離れるように外へとベース内に延びている第２の部位と、
を含んでおり、前記露出された第１の部位が、前記カフ本体の前記開口のおおむね反対側に位置している請求項１に記載の電極アセンブリー。
【請求項１２】
前記電極部材の前記第２の部位が、間隔を空けて位置する２つのレッグの間の凹所と、前記第１の部位から離れる方向を向いている頂点とを定めているおおむねＵ字形の部位を備えており、それぞれのレッグの各々が、前記第１の部位へと接続され、該第１の部位から延びており、前記第１の部位が、第１のセグメントおよび第２のセグメントを定めており、該第１および第２のセグメントが、前記電極部材の前記第２の部位から外へと反対方向に離れるように延びており、前記第１および第２のセグメントの各々が、前記おおむねＵ字形の第２の部位の前記レッグのうちの該当の１つに接続されており、前記第１のセグメントが前記第２のフランジ部材において前記管腔に露出され、前記第２のセグメントが前記第３のフランジ部材において前記管腔に露出され、前記第２の部位が、前記カフ本体の前記ベース内を延びている請求項１１に記載の電極アセンブリー。
【請求項１３】
前記第２および第３のフランジ部材のそれぞれの内表面においておおむね露出された前記第１および第２のセグメントのそれぞれが、遠位端を有しており、それぞれの遠位端が、前記第２および第３のフランジ部材のそれぞれの遠位部に埋め込まれている請求項１２に記載の電極アセンブリー。
【請求項１４】
前記第２および第３のフランジ部材のそれぞれの遠位部が、互いに解放可能に接している請求項７に記載の電極アセンブリー。
【手続補正書】
【提出日】平成24年4月18日(2012.4.18)
【手続補正１】
【補正対象書類名】特許請求の範囲
【補正対象項目名】全文
【補正方法】変更
【補正の内容】
【特許請求の範囲】
【請求項１】
人の生理学的状態を決定する方法において、
前記人の複数の心拍をサンプリングするステップと、
前記心拍サンプルから一連の心臓ＲＲ間隔を抽出するステップと、
続いて起こるＲＲ間隔の二次元表現を提供するステップであって、２つの続いて起こるＲＲ間隔が前記二次元表現におけるエントリを形成する、当該提供するステップと、
を有し、前記方法が、
前記二次元表現内の複数のエントリに対して重心を決定するステップと、
前記二次元表現内の前記複数のエントリにわたり閉じた曲線をフィットさせるステップであって、前記閉じた曲線の中心が前記重心と一致する、当該フィットさせるステップと、
前記閉じた曲線と前記二次元表現内の前記エントリとの間の距離を決定するステップと、
前記決定された距離が所定の第１の閾値の上であるか又は下であるかを決定することにより前記人の生理学的状態を決定するステップと、
を有する方法。
【請求項２】
前記閉じた曲線の決定された平均半径に関連して前記二次元表現内の前記エントリの間の分散を決定するステップを有する、請求項１に記載の方法。
【請求項３】
前記エントリの二次元表現が、本質的に、続いて起こるＲＲ間隔のポアンカレモデルである、請求項１又は２に記載の方法。
【請求項４】
前記続いて起こるＲＲ間隔の二次元表現を提供するステップが、前記エントリの二次元表現を円と一致するように変換するステップを有する、請求項１ないし３のいずれか一項に記載の方法。
【請求項５】
前記人の生理学的状態が、前記人のコヒーレンスの尺度である、請求項１ないし４のいずれか一項に記載の方法。
【請求項６】
前記二次元表現内の前記複数のエントリにわたり閉じた曲線をフィットさせるステップが、前記複数のエントリにわたり楕円をフィットさせる、請求項１ないし５のいずれか一項に記載の方法。
【請求項７】
前記生理学的状態の変化が所定の第２の閾値の上又は下である場合に、聴覚刺激、視覚刺激、触覚刺激の少なくとも１つを出力するステップを有する、請求項１ないし６のいずれか一項に記載の方法。
【請求項８】
前記半径とエントリとの間の前記距離が最小化されるように前記人をガイドするように聴覚刺激、視覚刺激、触覚刺激の少なくとも１つを出力するステップを有する、請求項１ないし７のいずれか一項に記載の方法。
【請求項９】
前記生理学的状態が、複数の人に対して、決断の時間中に前記人の無関心、真の注意及び怒りの少なくとも１つを測定するように決定される、請求項１ないし８のいずれか一項に記載の方法。
【請求項１０】
人の生理学的状態を決定するシステムにおいて、
前記人の複数の心拍をサンプリングする少なくとも１つのセンサと、
制御ユニットであって、
前記心拍サンプルから一連の心臓ＲＲ間隔を抽出し、
続いて起こるＲＲ間隔の二次元表現を提供し、ここで２つの続いて起こるＲＲ間隔が前記二次元表現におけるエントリを形成する、
ように構成された前記制御ユニットと、
を有し、前記制御ユニットが、
前記二次元表現内の複数のエントリに対して重心を決定し、
前記二次元表現内の前記複数のエントリにわたり閉じた曲線をフィットさせ、前記閉じた曲線の中心が前記重心と一致し、
前記閉じた曲線と前記二次元表現内の前記エントリとの間の距離を決定し、
前記決定された距離が所定の第１の閾値の上であるか又は下であるかを決定することにより前記人の生理学的状態を決定する、
ように構成される、システム。
【手続補正書】
【提出日】平成24年8月24日(2012.8.24)
【手続補正１】
【補正対象書類名】特許請求の範囲
【補正対象項目名】全文
【補正方法】変更
【補正の内容】
【特許請求の範囲】
【請求項１】
貫通する流通路を画成している本体を含んでなる内部人工器官であって、本体は血管内で開通性を維持する能力を有することと、本体は鉄またはその合金を含んでなることと、本体は酸化鉄を含んでなるナノ構造化表面を有し、該表面において個々のナノ構造は少なくとも５：１の高さ対厚さアスペクト比を有することとを特徴とする内部人工器官。
【請求項２】
高さ対厚さアスペクト比は１０：１〜２０：１である、請求項１に記載の内部人工器官。
【請求項３】
個々のナノ構造は５０ｎｍ〜５００ｎｍの高さを有する、請求項１に記載の内部人工器官。
【請求項４】
個々のナノ構造は、厚さの少なくとも２倍の幅をそれぞれ有している薄片構造を有することと、個々のナノ構造それぞれの厚さは５ｎｍ〜５０ｎｍであり、個々のナノ構造それぞれの幅は１００ｎｍ〜５００ｎｍであることとを特徴とする、請求項３に記載の内部人工器官。
【請求項５】
個々のナノ構造は、５ｎｍ〜５０ｎｍの直径を有する米粒構造を有する、請求項３に記載の内部人工器官。
【請求項６】
隣接した個々のナノ構造の間の平均分離距離は１ｎｍ〜５０ｎｍである、請求項１に記載の内部人工器官。
【請求項７】
表面は１２０〜２００のＳｄｒを有する、請求項１に記載の内部人工器官。
【請求項８】
表面は５キロオーム未満の耐食性を有する、請求項１に記載の内部人工器官。
【請求項９】
ナノ構造化表面の少なくとも一部を覆うポリマーコーティングをさらに含んでなる、請求項１に記載の内部人工器官。
【請求項１０】
ポリマーコーティングは、ポリグルタミン酸と、ポリ（エチレンオキシド）、ポリカプロラクタム、ポリ乳酸グリコール酸共重合体、多糖類、およびこれらの組み合わせからなる群から選択されたポリマーとのブロックコポリマーを含んでなる、請求項９に記載の内部人工器官。
【請求項１１】
ポリマーは、ポリグルタミン酸と非イオン性の多糖類とのブロックコポリマーを含んでなる、請求項１０に記載の内部人工器官。
【請求項１２】
非イオン性の多糖類はプルランである、請求項１１に記載の内部人工器官。
【請求項１３】
ポリマーコーティングは治療薬を含んでなる薬物溶出コーティングである、請求項９に記載の内部人工器官。
【請求項１４】
内部人工器官は生物侵食性である、請求項１に記載の内部人工器官。
【請求項１５】
内部人工器官はステントである、請求項１に記載の内部人工器官。
【請求項１６】
貫通する流通路を画成している本体を含んでなる内部人工器官であって、本体は血管内で開通性を維持する能力を有することと、本体は鉄またはその合金を含んでなることと、
本体は酸化鉄を含んでなる表面を有することと、内部人工器官は該表面を覆うコーティングを含んでなることと、該コーティングはポリグルタミン酸のブロックコポリマーを含んでなることとを特徴とする内部人工器官。
【請求項１７】
ポリグルタミン酸のブロックコポリマーはポリグルタミン酸および多糖類のブロックコポリマーである、請求項１６に記載の内部人工器官。
【請求項１８】
多糖類は非イオン性の多糖類である、請求項１７に記載の内部人工器官。
【請求項１９】
多糖類はプルランである、請求項１７に記載の内部人工器官。
【請求項２０】
表面は１２０〜２００のＳｄｒを有する、請求項１６に記載の内部人工器官。
【請求項２１】
内部人工器官は生物侵食性である、請求項１６に記載の内部人工器官。
【請求項２２】
内部人工器官はステントである、請求項１６に記載の内部人工器官。
【請求項２３】
内部人工器官を生産する方法であって、
内部人工器官および内部人工器官の前駆体のいずれか一方の一部を、電解質溶液に曝露することと、該内部人工器官および内部人工器官の前駆体のいずれか一方は、鉄およびその合金のいずれか一方を含んでなることと、
該内部人工器官および内部人工器官の前駆体のいずれか一方に、複数の電流パルスを印加して、該内部人工器官上に、少なくとも５：１の高さ対厚さアスペクト比を有する複数の個別ナノ構造を有するナノ構造化表面を作出することとを含んでなる方法。
【請求項２４】
印加される電流パルスは、陰極パルス、陽極パルスおよびこれらの組み合わせのいずれか一方を含んでなる、請求項２３に記載の方法。
【請求項２５】
印加される電流パルスは、直流電流の方形波、電位の方形波およびこれらの組み合わせのいずれか一方を含んでなる、請求項２３に記載の方法。
【請求項２６】
ナノ構造化表面に、ポリマーを含むるコーティングを施すことをさらに含んでなる、請求項２３に記載の方法。
【請求項２７】
内部人工器官は生物侵食性のステントである、請求項２３に記載の方法。
【手続補正書】
【提出日】平成24年5月8日(2012.5.8)
【手続補正１】
【補正対象書類名】特許請求の範囲
【補正対象項目名】全文
【補正方法】変更
【補正の内容】
【特許請求の範囲】
【請求項１】
心臓弁を縫合するデバイスにおいて、前記デバイスは、
近位端部及び遠位端部を有し、心臓弁を通って送達されるように構成された細長い本体と；
前記細長い本体の前記遠位端部付近において、収縮位置と前進位置との間を移動するように動作可能に前記細長い本体に連結された針と；
収縮位置と拡張位置との間を移動するように前記細長い本体の前記遠位端部付近において前記細長い本体に取り付けられたアームであって、前記アームが、縫合糸部分を解放可能に保持するように構成された縫合糸マウントを含み、前記アームが、前記拡張位置において前記弁の弁尖を前記アームと前記細長い本体の前記遠位端部との間に位置付けるように構成されている、アームとを有し、
前記アームが前記拡張位置にあるとき、前記針が、収縮位置から前進位置へ近位方向に移動して前記弁尖を貫通し、前記縫合糸マウントに保持された前記縫合糸部分と係合するように構成されており、前記針が収縮位置へ戻るとき、前記縫合糸部分と係合した前記針が、前記弁尖を通って収縮されるように構成されている、心臓弁を縫合するデバイス。
【請求項２】
前記デバイスが、
前記細長い本体の前記遠位端部付近において、収縮位置と前進位置との間を移動するように動作可能に前記細長い本体に連結された第２の針と；
収縮位置と拡張位置との間を移動するように前記細長い本体の前記遠位端部付近において前記細長い本体に取り付けられた第２のアームであって、前記第２のアームが、縫合糸部分を解放可能に保持するように構成された縫合糸マウントを含み、前記第２のアームが、前記拡張位置において前記弁の第２の弁尖を前記第２のアームと前記細長い本体の前記遠位端部との間に位置付けるように構成されている、第２のアームとをさらに有し、
前記第２のアームが前記拡張位置にあるとき、前記第２の針が、収縮位置から前進位置へ近位方向に移動して前記第２の弁尖を貫通し、前記縫合糸マウントに保持された前記縫合糸部分と係合するように構成されており、前記第２の針が収縮位置へ戻るとき、前記縫合糸部分と係合した前記第２の針が、前記第２の弁尖を通って収縮されるように構成されている、請求項１に記載されたデバイス。
【請求項３】
前記縫合糸部分は、単一の縫合糸の一部である、請求項２に記載されたデバイス。
【請求項４】
前記第１及び第２の針が、同時に移動可能であり、それぞれ前記第１及び第２のアームの前記縫合糸マウントに係合する、請求項２に記載されたデバイス。
【請求項５】
前記第１及び第２のアームが収縮位置と拡張位置との間を同時に移動可能である、請求項２に記載されたデバイス。
【請求項６】
前記細長い本体の前記遠位端部が、心臓の先端の位置又はその付近の穴を通して前記心臓内に入るサイズ及び構成となっている、請求項１に記載されたデバイス。
【請求項７】
前記細長い本体の前記遠位端部が、僧帽弁を通して送達されるサイズ及び構成となっている、請求項６に記載されたデバイス。
【請求項８】
前記アームが、前記拡張位置において前記細長い本体の前記遠位端部と鋭角を形成する、請求項１に記載されたデバイス。
【請求項９】
前記第１及び第２のアームが、それらの拡張位置において前記細長い本体の前記遠位端部と鋭角を形成する、請求項２に記載されたデバイス。
【手続補正書】
【提出日】平成24年11月5日(2012.11.5)
【手続補正１】
【補正対象書類名】特許請求の範囲
【補正対象項目名】全文
【補正方法】変更
【補正の内容】
【特許請求の範囲】
【請求項１】
遊園地又はテーマパークにおいてレースを真似た車両の選択的な相対位置決めをもたらす乗物システムであって、
乗物用に設けられた所定長さの軌道によって支持されると共に、該軌道に沿って走行するように適合されるシャシーと、
前記シャシーに取り付けられ、前記軌道に沿って前記シャシーと共に移動する支持体と、
前記支持体上において該支持体によって支持される、間隔のあいた第１及び第２車両と、
前記支持体と連結されて該支持体を回転軸の周りで回転させる駆動アセンブリとを備え、前記第１及び第２車両は、前記軌道に対するそれらの位置を変化させるように同時に移動させられ、前記第１及び第２車両は、該第１及び第２車両の間に前記回転軸が延出するように、前記支持体上に位置決めされ、該第１及び第２車両は、前記回転軸と平行な一対の軸の周りを、互いにまた前記支持体と少なくとも部分的に同時に回転させられることを特徴とする乗物システム。
【請求項２】
前記第１及び第２車両は、前記軌道に沿った走行方向に対して共通の配向を共有しており、前記駆動アセンブリは、該第１及び第２車両の回転の間に、該共通の配向を保つように構成されることを特徴とする請求項２の乗物システム。
【請求項３】
前記駆動アセンブリの少なくとも一部分は、前記支持体内に収容されており、該支持体の外部に位置決めされる駆動機構によって駆動されることを特徴とする請求項１の乗物システム。
【請求項４】
前記支持体内にある前記駆動アセンブリの部分は、固定駆動歯車を備えたギアトレーンを備え、該支持体は、該支持体が前記回転軸の周りを回転するように前記駆動機構と連結され、該ギアトレーンは更に、前記支持体の回転に応じて、前記駆動歯車の周りを回転する一対の従動歯車を備え、該従動歯車各々が、前記第１及び第２車両の一方と連結されることにより、該第１及び第２車両は、互いにまた前記支持体と同時に回転することを特徴とする請求項３の乗物システム。
【請求項５】
前記支持体内にある前記駆動アセンブリの部分は、中心固定駆動プーリを備えたプーリアセンブリを備え、該支持体は、該支持体が該駆動プーリと共に前記回転軸の周りを回転するように前記駆動機構に取り付けられており、前記プーリアセンブリは、前記固定駆動プーリと連結されて当該の周りを回転する一対の従動プーリを備え、該従動プーリ対の各々は、前記車両が該従動プーリ及び前記支持体と同時に回転するように前記第１及び第２車両の一方と連結されることを特徴とする請求項３の乗物システム。
【請求項６】
前記支持体は、前記回転軸の周りにおいて、３６０度の自由回転運動を有しており、前記車両は、前記支持体上において、前記第１及び第２車両のいずれかが先導車両として位置決めされる直列車両形態と、前記第１及び第２車両のいずれかが、前記支持体の左側に位置決めされる横並び形態に位置決め可能であるように配置されることを特徴とする請求項１の乗物システム。
【請求項７】
前記支持体は、長尺状アームであり、前記第１及び第２車両は、前記アームの両端に位置決めされ、前記回転軸は、該アームの中心軸であることを特徴とする請求項１の乗物システム。
【請求項８】
前記回転軸は、前記軌道を横切ることを特徴とする請求項１の乗物システム。
【請求項９】
前記駆動アセンブリは、前記支持体を回転させて、前記第１及び第２車両を、該車両が共通の水平面内にある第１位置から、該車両が２個の別個の水平面内にある第２位置へ移動させるように作動することを特徴とする請求項８の乗物システム。
【請求項１０】
前記駆動アセンブリは、前記シャシーに支持されると共に、選択的に回転可能な駆動部材を含み、
前記支持体は、前記シャシー上に位置決めされると共に前記駆動部材と連結される支持アームであって、その両端において前記第１及び第２車両を支持し、前記駆動部材の回転に応じて、その中心軸の周りを回転するする前記支持アームを含むことを特徴とする請求項１の乗物システム。
【請求項１１】
前記駆動アセンブリは、前記駆動部材が設けられた固定中心歯車及び該中心歯車と連結される一対の従動歯車を含む複数の歯車を有し、各従動歯車は、前記車両の本体を前記一対の従動歯車と共に回転させるために、前記車両本体の一方に取り付けられており、前記支持アームが回転させられた時に前記従動歯車が回転することにより、前記軌道に対する前記車両本体の配向が、前記支持アームの回転の間に維持されることを特徴とする請求項１０の乗物システム。
【請求項１２】
前記駆動アセンブリは、固定中心プーリ及び前記駆動部材によって該中心プーリと連結される一対の従動プーリを含む複数のプーリであって、ベルト又はチェーンによって相互連結される前記複数のプーリを含み、前記従動プーリ各々は、前記車両本体を前記従動歯車と共に回転させるために、前記車両本体の一方に取り付けられており、これにより、前記支持アームの回転の間、両方の車両本体が前記軌道に対し同様の配向に維持されることを特徴とする請求項１０の乗物システム。
【請求項１３】
前記支持アームは、前記軌道に沿った走行方向と実質的に平行である第１位置と、前記支持アームが前記走行方向を横切る第２位置を含む、該軌道に対する複数の位置に位置決めされるものであり、前記車両本体は、前記第１位置においては一列に並び、前記第２位置においては横並びであることを特徴とする請求項１０の乗物システム。
【請求項１４】
前記支持アームを前記複数の位置の間で移動させるために、前記駆動部材を回転させるように、前記駆動機構を選択的に作動させる制御システムを更に含み、該制御システムは、前記シャシーが前記乗物軌道上を走行する時に、前記車両本体内にいる一人又は複数の乗客の感知された行動に応じて、該駆動機構を選択的に作動させることを特徴とする請求項１３の乗物システム。
【請求項１５】
前記車両は一列位置及び横並び位置に交互に位置決め可能であり、前記駆動アセンブリは、前記車両全てを制御された方向及び制御された量だけ同時に旋回させるように作動可能であり、該車両各々の旋回方向及び量は、前記軌道に対する該車両各々が同様な向きを維持するために、実質的に等しいことを特徴とする請求項１の乗物システム。
【手続補正書】
【提出日】平成24年4月13日(2012.4.13)
【手続補正１】
【補正対象書類名】特許請求の範囲
【補正対象項目名】全文
【補正方法】変更
【補正の内容】
【特許請求の範囲】
【請求項１】
骨の画像を複数の領域に区分する方法であって、
前記骨の複数の体積画像スライスを獲得する行為と、
前記骨に関連する複数のスプライン曲線を生成する行為と、
前記複数のスプライン曲線の少なくとも１つが前記骨の表面に追従することを検証する行為と、
前記複数のスプライン曲線の前記少なくとも１つに基づいて三次元（３Ｄ）メッシュ表示を作成する行為とを備える方法。
【請求項２】
さらに、前記骨の異なる範囲にわたって選択的な解像度を利用する行為を備える、請求項１に記載の方法。
【請求項３】
前記複数のスライスの間の均一な間隔が２ミリメートルである、請求項１に記載の方法。
【請求項４】
前記複数のスライスが矢状、横位または冠状方向である、請求項１に記載の方法。
【請求項５】
前記体積画像スライスが第２の骨と接触する骨の部分を表す、請求項１に記載の方法。
【請求項６】
前記複数中の少なくとも１つの画像スライスが、ボクセル体積平均化を通じて歪んだボクセルを含む、請求項１に記載の方法。
【請求項７】
前記複数のスプライン曲線が前記骨の形状および方向を定義する、請求項１に記載の方法。
【請求項８】
本方法が前記骨の設計モデルを生じる、請求項１に記載の方法。
【請求項９】
前記検証する行為が、前記複数中の隣接するスライスを検査する行為を備える、請求項１に記載の方法。
【請求項１０】
さらに、モデル骨の表示を前記骨の前記画像に統合する行為を備える、請求項１に記載の方法。
【請求項１１】
前記モデル骨の前記表示が損傷のある海綿質または骨質を有さない、請求項１０に記載の方法。
【請求項１２】
モデル骨の表示を生成する方法であって、
複数のスライスとして前記表示の画像スキャンを獲得する行為と、
１つ以上のセグメント化曲線を使用して前記複数中の各スライスをセグメント化する行為と、
前記表示のメッシュを生成するステップと、
前記骨の境界範囲が連続する画像スキャンの間で安定する範囲を含むように前記複数中の各スライスを調整する行為と、
アンカーセグメント化が前記モデル骨の前記表示の境界に追従するように前記アンカーセグメント化を生成する行為とを備える方法。
【請求項１３】
前記セグメント化する行為が、前記モデル骨の前記表示に関連する軟骨のセグメント化を除外する、請求項１２に記載の方法。
【請求項１４】
前記画像スキャンを獲得する前記行為が磁気共鳴映像法（ＭＲＩ）の使用を通じて行われる、請求項１２に記載の方法。
【請求項１５】
前記モデル骨の前記表示の少なくとも一部が２つのセグメント化曲線の間に存在する、請求項１２に記載の方法。
【請求項１６】
ガウス平滑化が利用される、請求項１２に記載の方法。
【請求項１７】
前記モデル骨の前記表示の前記境界が皮質骨と海綿質骨との間の境界を備える、請求項１２に記載の方法。
【請求項１８】
さらに、複数の皮質および海綿質の境界範囲を互いに接続してアンカーセグメント化を獲得する行為を備える、請求項１２に記載の方法。
【請求項１９】
前記複数の皮質および海綿質の境界が解体している、請求項１８に記載の方法。
【請求項２０】
少なくとも１つの海綿質ボクセルが前記アンカーセグメント化の内部にあり少なくとも１つの皮質ボクセルが前記アンカーセグメント化の外部にある、請求項１２に記載の方法。
【請求項２１】
骨増殖体が前記アンカーセグメント化から除外される、請求項１２に記載の方法。
【請求項２２】
少なくとも１つの皮質ボクセルが前記モデル骨の前記表示の前記境界に沿っており、少なくとも１つの海綿質ボクセルが前記モデル骨の前記表示の前記境界に隣接している、請求項１２に記載の方法。
【請求項２３】
さらに、前記モデル骨の前記表示を表す３Ｄメッシュを生成する行為を備える、請求項１２に記載の方法。
【請求項２４】
さらに、隣接するセグメント化曲線の点の配置を比較することによって、前記１つ以上のセグメント化曲線上の点を再配置する行為を備える、請求項１２に記載の方法。
【請求項２５】
モデル骨の表示を使用して目標骨をセグメント化する方法であって、
前記表示のセグメント化形式を前記目標骨の画像スキャンに位置合わせする行為と、
前記目標骨の境界の近くの前記表示の前記セグメント化形式の前記位置合わせを改良する行為と、
前記表示の前記セグメント化形式からメッシュを生成する行為と、
前記メッシュと前記目標骨の前記画像スキャンからの１つ以上のスライスとの交点に近似する複数のスプライン曲線を生成する行為とを備える方法。
【請求項２６】
前記方法が関節に対して実行される、請求項２５に記載の方法。
【請求項２７】
さらに、１つ以上のスライスに変換を適用する行為を備える、請求項２５に記載の方法。
【請求項２８】
前記変換を適用する前記行為が、前記スライスの平面中の点を前記スライスに対して横向きにではなく移動させる行為を含む、請求項２７に記載の方法。
【請求項２９】
改良する前記行為が、隣接するスライスの１つ以上のボクセルを平均する行為を備える、請求項２５に記載の方法。
【請求項３０】
さらに、前記複数のスプライン曲線の少なくとも１つが前記目標骨の表面に追従することを検証する行為を備える、請求項２５に記載の方法。
【請求項３１】
検証する前記行為が、少なくとも２つの隣接するスライスを比較する行為を備える、請求項３０に記載の方法。
【請求項３２】
モデル骨の表示から目標骨への位置合わせを改良するための方法であって、
アンカーセグメント化メッシュを変換する行為と、
前記変換されたアンカーセグメント化メッシュの周囲の複数の無作為点を生成する行為と、
前記複数中の各点が、インダーク−アウトライト、インライト−アウトダーク、またはダーク−イン−ライトといったメッシュの１つ以上の内部にあるかを決定する行為と、
前記複数の点の１つ以上が前記変換されたアンカーセグメント化メッシュの表面の閾値距離内にあるか否かを決定する行為と、
前記点が前記インダーク−アウトライト、インライト−アウトダーク、またはダーク−イン−ライトメッシュ内にあるか否かに応じて、かつ前記点が前記変換されたアンカーセグメント化メッシュの内部または外部にあるかを決定するため、前記複数中の各点を暗い点または明るい点として追加する行為とを備える方法。
【請求項３３】
前記複数の点が画像スライス内にある、請求項３２に記載の方法。
【請求項３４】
前記各点が閾値距離内にあるかを決定する行為が、
前記アンカーセグメント化メッシュを各画像スライスと交差させる行為と、
前記アンカーセグメント化と交差する前記画像スライスの１つ以上のピクセルに注意する行為と、
前記閾値外の前記１つ以上のピクセルをフィルタリングする行為とを備える、請求項３２に記載の方法。
【請求項３５】
前記フィルタリングする行為が膨張フィルタを使用して行われる、請求項３４に記載の方法。
【請求項３６】
前記閾値距離が０．７５ミリメートルである、請求項３２に記載の方法。
【請求項３７】
前記変換する行為が１つ以上のスプライン曲線を生成する行為を備える、請求項３２に記載の方法。
【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
ファスナ送達器具において、
アクチュエータを備えているハウジングと、
前記ハウジングから伸長し、遠位先端部で終端する細長いシャフトであって、前記シャフトは、弛緩状態のそれぞれのファスナの尖叉を解放可能に係合させる対になった機構を含むベルトアッセンブリをその中に備えており、それぞれの前記ファスナは、前記弛緩状態の尖叉の間でループを画定している細長いシャフトと、
前記ベルトが進められる際に、前記弛緩状態にある前記ベルトからファスナを連続的に受け入れる前記遠位先端部の装填室と、
前記装填室内部に受け入れる前記ファスナの動きを制限する保持部材と、
前記装填室に連通している放出軌道と、
前記アクチュエータと連結されるタング及び押し部材であって、前記アクチュエータの作動が、前記タングを進めて前記装填室内部で受入れられた前記ファスナを前記弛緩状態からＵ字型拘束状態へ変形するように前記尖叉に係合させ、且つ前記ベルトを進めて前記ファスナを前記装填室から下方に前記放出軌道へ進め、更に前記装填室内部の別のファスナを送出するタング及び押し部材と、を備え、
前記機構は、前記機構によって解放可能に係合される前記尖叉を損傷することを回避するために非金属材料を備えている、
ことを特徴とするファスナ送出器具。
【請求項２】
前記カートリッジアッセンブリは、前記カートリッジアッセンブリ内部に第１及び第２の端部を含むフレームを備えており、前記第２の端部は、前記装填室に隣接して配置されており、前記ベルトは、前記フレームの第１及び第２の端部の間で伸長する一対の無端ベルトを備えており、各帯は、それぞれのファスナの尖叉を解放可能に係合させる対になった機構を提供するために他方の帯の機構に隣接して配置される複数の機構を備えている、
請求項１に記載のファスナ送出器具。
【請求項３】
リードファスナを前記無端ベルトから前記装填室の中へ送出するために、前記対の無端ベルトの動きをまとめて連動させる横木と、前記対の無端ベルトを同時に進めるために前記横木を進める前記アクチュエータと連結される押し棒と、を更に備えている、
請求項２に記載のファスナ送出器具。
【請求項４】
前記機構は、その中で前記尖叉を解放可能に受け入れる凹部を画定しているフック及びクリップの１つを備えている、
請求項１に記載のファスナ送出器具。
【請求項５】
前記ベルトアッセンブリの上に乗っている前記細長いシャフトの上にはカバーを更に備えており、前記カバーは、前記ベルトアッセンブリにアクセスするために取り外し可能である、
請求項１に記載のファスナ送出器具。
【請求項６】
前記ベルトアッセンブリは、前記ファスナが前記ベルトアッセンブリから送出された後、新しいベルトアッセンブリが前記細長いシャフトの中へ装填されることを可能にするために前記細長いシャフトの内部に取り外し可能に固定される、
請求項５に記載のファスナ送出器具。
【請求項７】
複数のファスナを搬送するベルトアッセンブリを含む器具を使用してファスナを送出する方法において、
第１のファスナを前記ベルトアッセンブリから保持部材に送出するために前記ベルトアッセンブリを進める段階であって、前記ファスナは一対の尖叉を備えている、前記ベルトアッセンブリを進める段階と、
前記ファスナを弛緩状態から拘束状態へ変形するために前記抑制されたファスナに対して前記送出器具のタングを進める段階と、
前記ファスナが前記拘束状態にありながら、前記保持部材から前記ファスナを解放する段階と、
前記送出器具内部で前記拘束状態の前記ファスナを遠位方向に進める段階と、
前記送出器具から前記ファスナを放出する段階と、
第２のファスナを前記ベルトアッセンブリから前記保持部材へ送出するために前記ベルトアッセンブリを進める段階と、を備えている、
ことを特徴とする方法。
【請求項８】
前記ベルトアッセンブリを前記送出器具の中へ装填する段階を更に備えている、
請求項７に記載の方法。
【手続補正書】
【提出日】平成24年5月2日(2012.5.2)
【手続補正１】
【補正対象書類名】特許請求の範囲
【補正対象項目名】全文
【補正方法】変更
【補正の内容】
【特許請求の範囲】
【請求項１】
少なくとも１つの治療薬を目標部位に送達するのに適した器具であって、
第１及び第２の入口ポートと、出口ポートとを有する接続部材と、
治療薬を収容し、前記接続部材の前記第１の入口ポートと選択的に連結される少なくとも１つの容器と、
前記接続部材の前記第２の入口ポートに連結されるようになされた圧力源と、
近位端及び遠位端を有する少なくとも１つのチューブ部材であって、前記チューブ部材の前記近位端が前記接続部材の前記出口ポートに連結され、前記チューブ部材の前記遠位端が目標部位と流体連通するように配置される大きさである少なくとも１つのチューブ部材と、
を備え、
前記治療薬の前記目標部位への送達のために、前記圧力源から前記第２の入口ポート及び前記出口ポートを通して流体を供給することにより、前記治療薬を前記容器から離れて前記第１の入口ポート及び前記チューブ部材を通る方向に送るようになされている、器具。
【請求項２】
前記接続部材の前記出口ポートが実質的に長手方向軸線に沿って整列し、前記第１及び第２の入口ポートの少なくとも１つが前記長手方向軸線に対してある角度で配置されている、請求項１に記載の器具。
【請求項３】
前記第１及び第２の入口ポートがともに前記出口ポートの前記長手方向軸線に対してある角度で配置されている、請求項２に記載の器具。
【請求項４】
前記角度の少なくとも１つは、前記長手方向の軸線に対して約２０度から約７０度の範囲である、請求項２に記載の器具。
【請求項５】
前記接続部材の前記第２の入口ポートは、前記出口ポートに対する前記第１の入口ポートの位置に比べて、前記出口ポートにより近接して配置されている、請求項１に記載の器具。
【請求項６】
前記圧力源は圧縮ガスディスペンサーを備える、請求項１に記載の器具。
【請求項７】
前記圧力源と前記接続部材の間に配置された調整弁をさらに備える、請求項１に記載の器具。
【請求項８】
前記容器は近位領域及び遠位領域を有する注射器を備えており、前記遠位領域は前記接続部材の前記第１の入口ポートに連結されるようになされており、前記近位領域はプランジャーを備えている、請求項１に記載の器具。
【請求項９】
前記チューブ部材の前記遠位端に連結されたニードルをさらに備える、請求項１に記載の器具。